(57)【要約】【課題】少ない資金により株式の購入を希望している個人投資家の投資意欲を喚起すると共に投資を促進させる配当・株主優待割当システムを提供する。【解決手段】配当金又は株主優待を割り当てる顧客を決定するための抽籤パターンを設定し（ステップＳ１０）、抽籤パターンが設定された抽籤に対して顧客がエントリー（応募）できるエントリー期間を設定する（ステップＳ１１）。次に、エントリーが受け付けられた顧客について、顧客の保有株式数に基づく当選確率変数を算出し（ステップＳ１８）、算出された当選確率変数に基づいて抽籤を行う（ステップＳ１９）。そして、当選した顧客に対して当選した旨の通知を行い（ステップＳ２１）、当選者が確定した場合には（ステップＳ２３）、当選した顧客に対して配当金又は株主優待を割り当てる。【選択図】  図４
2005018543.tif 000002
【特許請求の範囲】
【請求項１】
単元未満株式を保有している顧客に対する配当金又は株主優待の割り当てを行う配当・株主優待割当システムにおいて、
配当金又は株主優待を割り当てる顧客を決定するための抽籤パターンを設定する抽籤パターン設定手段と、
前記抽籤パターン設定手段により設定された抽籤パターンの抽籤に対して顧客が応募できる応募期間を設定する応募期間設定手段と、
前記応募期間設定手段により設定された応募期間内において、顧客の応募を受け付ける応募受付手段と、
前記応募受付手段により応募が受け付けられた顧客の当選確率変数を、該顧客の保有株式数に基づいて算出する当選確率変数算出手段と、
前記当選確率変数算出手段により算出された当選確率変数に基づいて抽籤を行う抽籤手段と
を備えることを特徴とする配当・株主優待割当システム。
【請求項２】
前記応募受付手段は、
前記抽籤パターン設定手段により設定された抽籤パターンの応募状況を、顧客に対して提供する応募状況提供手段を備えることを特徴とする請求項１記載の配当・株主優待割当システム。
【請求項３】
前記抽籤パターン設定手段は、
一の株式銘柄について複数の抽籤パターンを設定し、
前記応募受付手段は、
前記抽籤パターン設定手段により設定された抽籤パターン毎に、顧客からの応募を受け付けることを特徴とする請求項１又は請求項２記載の配当・株主優待割当システム。
【請求項４】
前記応募受付手段は、
前記応募期間内において、応募する抽籤パターンの変更を受け付ける変更受付手段を備えることを特徴とする請求項３記載の配当・株主優待割当システム。
【請求項５】
前記抽籤手段は、
当選した顧客に対して当選した旨を通知する当選通知手段と、
前記当選通知手段により当選が通知された顧客からの当選確認通知を受け付ける確認通知受付手段と、
前記確認通知受付手段により当選確認通知を受け付ける期間を設定する当選確認期間設定手段とを備え、
前記当選確認期間設定手段により設定された当選確認期間内に、前記確認通知受付手段により当選した顧客からの当選確認通知が受け付けられていない場合には、再度、抽籤を行うことを特徴とする請求項１〜請求項４の何れか一項に記載の配当・株主優待割当システム。
【請求項６】
前記抽籤手段は、
前記当選通知手段により当選が通知された顧客からの当選辞退通知を受け付ける辞退通知受付手段と、
前記辞退通知受付手段により当選辞退通知を受け付ける期間を設定する当選辞退期間設定手段とを備え、
前記当選辞退期間設定手段により設定された当選辞退期間内に、前記辞退通知受付手段により当選した顧客からの当選辞退通知が受け付けられた場合には、再度、抽籤を行うことを特徴とする請求項５記載の配当・株主優待割当システム。
【発明の詳細な説明】
【０００１】
【発明の属する技術分野】
この発明は、単元未満の株式を保有している顧客に対して、配当金又は株主優待を割り当てる配当・株主優待割当システムに関するものである。
【０００２】
【従来の技術】
従来、株式を保有している株主に対しては、保有している株式数に応じた配当金の支払いや、株式発行企業が提供しているサービスを受ける際又は株式発行企業が製造している製品を購入する際の優待券や割引券の提供等の株主優待が行われている。この配当金の支払い及び株主優待は、その株式を一単元以上保有する株主に対して提供されている。
【０００３】
ここで、株式ミニ投資制度や株式累積投資制度を利用して株式を保有している顧客は、保有している株式のうち、単元未満株式については、直接、株式発行企業から配当金の支払い等を受けることはできない。即ち、株式ミニ投資制度や株式累積投資制度を利用して株式を保有している場合、株式の名義は株式ミニ投資制度等のサービスを提供している証券会社になっている。従って、配当金の支払い等は証券会社に対して行われることから、証券会社に支払われた配当金は、各顧客の株式保有割合に応じて分配されていた。また、証券会社に対して優待券等が配布されている場合には、それらの優待券等を換金した後、換金した金銭が各顧客の株式保有割合に応じて分配されていた。
【０００４】
なお、顧客が所有する株式に基づく配当金の支払い処理を管理する配当金支払管理システムが存在する（例えば、特許文献１参照）。この配当金支払管理システムにおいては、まず、決算日を迎えた株式銘柄を抽出し、抽出された株式銘柄の配当単価を算出する。次に、算出された配当単価及び顧客が保有する株式単元に基づいて、顧客への配当金額を算出し、算出された配当金を口座振替等により顧客に支払っている。
【０００５】
【特許文献１】
特開２００２−２７９１９３号公報
【０００６】
【発明が解決しようとする課題】
ところで、単元未満の株式を保有する顧客に対して、株式の保有割合に応じて配当金を配分している場合、１単元の株式に対する配当金の額はそれほど大きな額ではないため、実際に顧客が受け取る配当金の額が小さくなる。また、株主優待の場合には、換金することにより、実際に株主優待を用いて受けることができるサービス等の価格よりも低い額が顧客に対して配分されることとなる。従って、顧客に対して株式を保有することに対する利点を十分にアピールすることが困難になっており、株式投資に対する興味を十分に喚起できていない。そのため、株式ミニ投資制度や株式累積投資制度に興味はあるが、実際に投資するまでには至らない等の潜在的な顧客の需要を顕在化することができず、個人投資家の裾野が広がらないという問題がある。
【０００７】
この発明の課題は、少ない資金で単元未満の株式を購入した顧客に対して、十分な配当金又は株主優待を得る機会を与え、個人投資家の投資意欲を喚起し、投資を促進させる配当・株主優待割当システムを提供することである。
【０００８】
【課題を解決するための手段】
請求項１記載の配当・株主優待割当システムは、単元未満株式を保有している顧客に対する配当金又は株主優待の割り当てを行う配当・株主優待割当システムにおいて、配当金又は株主優待を割り当てる顧客を決定するための抽籤パターンを設定する抽籤パターン設定手段と、前記抽籤パターン設定手段により設定された抽籤パターンの抽籤に対して顧客が応募できる応募期間を設定する応募期間設定手段と、前記応募期間設定手段により設定された応募期間内において、顧客の応募を受け付ける応募受付手段と、前記応募受付手段により応募が受け付けられた顧客の当選確率変数を、該顧客の保有株式数に基づいて算出する当選確率変数算出手段と、前記当選確率変数算出手段により算出された当選確率変数に基づいて抽籤を行う抽籤手段とを備えることを特徴とする。
【０００９】
この請求項１記載の配当・株主優待割当システムによれば、単元未満の株式（１株以下の株式である端株を含む）を保有する顧客の保有株式数に基づく当選確率変数により抽籤を行い、当選した顧客に対して配当金又は株主優待の割り当てを行っている。即ち、抽籤を行うことにより公平性を担保した状態で、顧客が保有している株式数に比較して十分な額の配当金又は株主優待を、単元未満の株式を保有している顧客に対して割り当てている。そのため、少ない資金で株式を保有することを希望している個人投資家の投資意欲を適切に喚起し、個人投資家の裾野を拡大することができる。
【００１０】
また、請求項２記載の配当・株主優待割当システムは、前記応募受付手段が、前記抽籤パターン設定手段により設定された抽籤パターンの応募状況を、顧客に対して提供する応募状況提供手段を備えることを特徴とする。
【００１１】
この請求項２記載の配当・株主優待割当システムによれば、例えば、応募状況を頻繁に確認する顧客に対して株式投資に関する情報を応募状況と併せて提供することにより、個人投資家の投資意欲を適切に刺激することができる。
【００１２】
また、請求項３記載の配当・株主優待割当システムは、前記抽籤パターン設定手段が一の株式銘柄について複数の抽籤パターンを設定し、前記応募受付手段が前記抽籤パターン設定手段により設定された抽籤パターン毎に、顧客からの応募を受け付けることを特徴とする。
【００１３】
この請求項３記載の配当・株主優待割当システムによれば、一の株式銘柄について複数の抽籤パターンを設定し、設定されたパターン毎に抽籤を受け付けることができる。従って、顧客は割り当てられる配当金の額が大きい抽籤パターン又は割り当てられる額は小さいが当選の可能性が高い抽籤パターン等、任意の抽籤パターンを選択して応募することができる。そのため、株式ミニ投資制度で投資した顧客の満足度を高く維持し、株式投資に対して更なる関心を抱かせるようにすることができる。
【００１４】
また、請求項４記載の配当・株主優待割当システムは、前記応募受付手段が前記応募期間内において、応募する抽籤パターンの変更を受け付ける変更受付手段を備えることを特徴とする。
【００１５】
この請求項４記載の配当・株主優待割当システムによれば、複数の抽籤パターンが設定されている場合、応募期間内であれば応募する抽籤パターンの変更を行うことができる。従って、顧客が抽籤パターンを変更する手続を行う際に、株式投資に関する情報を併せて提供することにより、顧客の投資意欲を適切に刺激することができる。
【００１６】
また、請求項５記載の配当・株主優待割当システムは、前記抽籤手段が、当選した顧客に対して当選した旨を通知する当選通知手段と、前記当選通知手段により当選が通知された顧客からの当選確認通知を受け付ける確認通知受付手段と、前記確認通知受付手段により当選確認通知を受け付ける期間を設定する当選確認期間設定手段とを備え、前記当選確認期間設定手段により設定された当選確認期間内に、前記確認通知受付手段により当選した顧客からの当選確認通知が受け付けられていない場合には、再度、抽籤を行うことを特徴とする。
【００１７】
この請求項５記載の配当・株主優待割当システムによれば、当選確認期間内に、当選者により確認が行われなかった場合には、再度抽籤が行われる。従って、顧客に対して自らが当選したか否かの確認を促し、顧客が確認を行う際に併せて株式投資に対する情報を提供することにより、顧客の投資意欲を適切に刺激することができる。
【００１８】
また、請求項６記載の配当・株主優待割当システムは、前記抽籤手段が、前記当選通知手段により当選が通知された顧客からの当選辞退通知を受け付ける辞退通知受付手段と、前記辞退通知受付手段により当選辞退通知を受け付ける期間を設定する当選辞退期間設定手段とを備え、前記当選辞退期間設定手段により設定された当選辞退期間内に、前記辞退通知受付手段により当選した顧客からの当選辞退通知が受け付けられた場合には、再度、抽籤を行うことを特徴とする。
【００１９】
この請求項６記載の配当・株主優待割当システムによれば、当選辞退期間内に、当選者により当選の辞退が行われた場合には、再度抽籤が行われる。従って、当選者による当選の辞退に基づく再度の抽籤が実施されるか否か、又は、再度の抽籤により自らが当選したか否かの確認を顧客に促し、顧客が確認を行う際に併せて株式投資に対する情報を提供することにより、顧客の投資意欲を適切に刺激することができる。
【００２０】
【発明の実施の形態】
以下、図面を参照して、実施の形態に係る配当・株主優待割当システムについて説明する。なお、以下においては、証券会社が提供している株式ミニ投資制度を利用している顧客に対して、配当金又は株主優待の割り当てを行う場合を例として説明する。
【００２１】
図１は、実施の形態に係る配当・株主優待割当システムを含むシステム全体のブロック構成図である。この図１に示すように、配当・株主優待割当システム２は、ネットワーク４を介して顧客端末６ａ、６ｂ、６ｃ…のそれぞれと接続されている。
【００２２】
図２は、この発明の実施の形態に係る配当・株主優待割当システム２のブロック構成図である。配当・株主優待割当システム２は、証券会社に設置されており、図２に示すように、この配当・株主優待割当システム２におけるデータの処理を制御するデータ制御部１０を備えている。このデータ制御部１０には、顧客端末６ａ、６ｂ、６ｃ…それぞれとの間の通信を制御する通信制御部１２が接続されている。また、データ制御部１０には、株式ミニ投資制度を利用して株式を購入した顧客の氏名、保有株式銘柄等を含む顧客情報を記憶している顧客情報記憶部１４及び株式ミニ投資制度により購入された株式等に関する株式情報を記憶する株式情報記憶部１６が接続されている。また、データ制御部１０には、配当金又は株主優待が割り当てられる顧客を決定するために行われる抽籤パターン等を記憶するデータ記憶部１８及び株式ミニ投資制度を利用している顧客に対して投資している株式銘柄に関する情報等を提供するＷｅｂサイトを構成するＷｅｂページのデータを記憶するＷｅｂページデータ記憶部２０が接続されている。
【００２３】
顧客情報記憶部１４には、顧客情報、即ち、株式ミニ投資制度を利用して株式を購入した顧客の氏名、住所、電話番号、保有株式銘柄、保有株式の割合、口座番号、顧客識別番号及びパスワード等を含む情報が記憶されている。なお、株式保有割合は、株式銘柄の単元に対して顧客が保有している株式の割合であり、口座番号は、顧客が証券取引に用いるために証券会社に開設している口座の番号である。また、顧客識別番号及びパスワードは、Ｗｅｂサイトにログインした顧客が本人であることを確認する際に用いられる。この顧客識別番号及びパスワードを用いて、本人確認、即ち、顧客が証券会社のＷｅｂサイトにログインする際に入力した顧客識別番号とパスワードを顧客情報記憶部１４に記憶されている顧客識別番号とパスワードと照合することにより、顧客が本人であることの確認が行われる。
【００２４】
また、株式情報記憶部１６には、株式情報、即ち、株式ミニ投資制度により購入された株式に関する所定の情報が株式銘柄に対応させて記憶されている。この株式情報には、株式を市場において売買する際の最小単位であり、株式発行企業の定款により定められている１単元となる株式の数、証券会社の名義により保有されている保有単元数が含まれている。また、株式情報には、株式を購入する際に資金を拠出した顧客の顧客識別番号、購入時の株価及び、１単元当たりの配当金の金額（配当単価）や１単元当たりの株主優待の内容（配布される優待券の種類等）が含まれている。また、株式ミニ投資制度による購入対象となっているが、未購入の株式については、１単元となる株式数、その時点における株価、配当単価等及び株式発行企業の業績等に関する情報を含む株式情報が株式銘柄に対応させて記憶されている。
【００２５】
また、データ記憶部１８には、抽籤パターン、即ち、配当金又は株主優待が割り当てられる顧客を決定するために行われる抽籤のパターンが記憶される。例えば、鉄道会社の株主優待が保有株式１単元に対しては１０枚組みの回数券が１組、５単元に対しては１０枚組みの回数券が２組、１０単元に対しては首都圏１日乗り放題チケットが２枚となっており、株式ミニ投資制度により証券会社の名義でこの鉄道会社の株式が１０単元分保有されているとする。この場合に、１単元に対する株主優待が合計１０人の顧客に割り当てられるように当選者を１０人とする抽籤を行うか、５単元に対する株主優待が合計２人の顧客に割り当てられるように当選者を２人とする抽籤を行うか、または、１０単元に対する株主優待が１人の顧客に割り当てられるように当選者を１人とする抽籤を行うか等の抽籤パターンが記憶される。また、証券会社の名義でこの鉄道会社の株式が２０単元分保有されている場合には、１０単元に対する株主優待を１人の顧客に割り当て、５単元に対する株主優待を２人の顧客に割り当てるように抽籤を行う、又は、１０単元に対する株主優待を１人の顧客に、５単元に対する株主優待を１人の顧客に、１単元に対する株主優待を５人の顧客にそれぞれ割り当てるように抽籤を行うようにしてもよい。
【００２６】
また、Ｗｅｂページデータ記憶部２０には、証券会社のＷｅｂサイト、即ち、株式ミニ投資制度を利用して株式を保有している顧客に対して、各種の情報を提供するＷｅｂサイトを構成するＷｅｂページのデータが記憶されている。例えば、株式ミニ投資制度による新規投資対象の株式銘柄に関する情報、保有している株式の発行企業に関する情報及び、配当金又は株主優待を割り当てるために行われる抽籤（応募期間や抽籤パターン等）に関する情報等を提供するためのＷｅｂサイトを構成するＷｅｂページのデータが記憶されている。
【００２７】
図３は、この発明の実施の形態に係る顧客端末６ａのブロック構成図である。この図３に示すように、顧客端末６ａは、顧客端末６ａにおけるデータの処理を制御するデータ制御部３０を備えている。このデータ制御部３０には、配当・株主優待割当システム２との間の通信を制御する通信制御部３２が接続されている。また、データ制御部３０には、通信制御部３２を介して取得されたＷｅｂサイトを構成するＷｅｂページのデータ等を記憶するデータ記憶部３４及びデータ記憶部３４に記憶されたＷｅｂページのデータに基づくＷｅｂページ等を表示する表示部３６が接続されている。なお、顧客端末６ｂ、６ｃ…の構成は、顧客端末６ａと同様の構成であるため説明を省略する。
【００２８】
ここで、顧客は、顧客端末６ａ、６ｂ、６ｃ…を用いてネットワーク４を介して配当・株主優待割当システム２に接続し、顧客識別番号及びパスワードを用いて証券会社のＷｅｂサイトにログインすることによりＷｅｂサイトを閲覧することができる。例えば、顧客端末６ａを介して送信した顧客識別番号及びパスワードと配当・株主優待割当システム２の顧客情報記憶部１４に記憶されている顧客識別番号及びパスワードとが照合一致となり、顧客が本人であることが認証された場合にのみ、顧客はＷｅｂサイトの閲覧を行うことができる。
【００２９】
次に、図４のフローチャートを参照して、この発明の実施の形態に係る配当・株主優待割当システムにより行われる配当・株主優待の割当処理について説明する。
【００３０】
まず、配当金又は株主優待を割り当てる顧客を決定するための抽籤パターンを設定する（ステップＳ１０）。例えば、証券会社の名義で２０単元の株式が保有されている場合、１０単元については、１単元毎に１人、合計１０人の当選者を決定する抽籤パターン（１単元分の優待券が合計１０人に当たる「１単元分の抽籤パターン」）と、他の１０単元については、１０単元に１人の当選者を決定する抽籤パターン（１０単元分の優待券が１人に当たる「１０単元の抽籤パターン」）を設定する。なお、設定された抽籤パターンは、株式銘柄に対応させてデータ記憶部１８に記憶される。
【００３１】
次に、配当金又は株主優待を割り当てる顧客を決定するための抽籤に対するエントリー（応募）を受け付けるエントリー期間を設定する（ステップＳ１１）。なお、設定されたエントリー期間は、抽籤が行われる株式銘柄に対応させてデータ記憶部１８に記憶される。
【００３２】
次に、抽籤へのエントリーを受け付けるためのエントリー用Ｗｅｂページを作成する（ステップＳ１２）。例えば、証券会社のＷｅｂサイトにログインした顧客からの抽籤へのエントリーを、Ｗｅｂサイト上において受け付けるためのＷｅｂページを作成する。なお、作成されたエントリー用Ｗｅｂページは、Ｗｅｂページデータ記憶部２０に記憶される。また、エントリー用Ｗｅｂページが作成された場合には、Ｗｅｂサイトのトップページ（Ｗｅｂサイトを閲覧した際に最初に表示されるＷｅｂページ）にエントリー用Ｗｅｂページへのリンクが設けられる。
【００３３】
ここで、顧客は、顧客端末６ａ、６ｂ、６ｃ…を用いてネットワーク４を介して証券会社のＷｅｂサイトにログインし、エントリー用Ｗｅｂページにおいて所定の処理を行うことにより抽籤にエントリーすることができる。例えば、顧客端末６ａを用いて顧客が証券会社のＷｅｂサイトにログインし、トップページからのリンクを用いてエントリー用Ｗｅｂページにアクセスした場合、表示部３６に図５に示すようなエントリー用Ｗｅｂページが表示される。この時、例えば、マウス等のポインティングデバイスを用いて「１単元分の抽籤パターン（当選者１０名）」又は「１０単元分の抽籤パターン（当選者１名）」の左側に表示されている「○」の内部をクリックすることによりエントリーする抽籤パターンを選択する。そして、抽籤パターンを選択した後に、エントリーボタン４０をマウス等を用いて選択してクリックすることにより、抽籤へのエントリーを行うことができる。
【００３４】
また、エントリー用Ｗｅｂページにおいては、その時点における顧客のエントリー状況が示される。例えば、図５に示すように、１単元分の抽籤パターンにエントリーした顧客数及び１０単元分の抽籤パターンにエントリーした顧客数がグラフ形式により示される。ここで、例えば、１単元分の抽籤パターンにエントリーした顧客が１４人、１０単元分の抽籤パターンにエントリーした顧客が７人となっているとする。この場合、１単元分の抽籤パターンは当選者が１０人であり、１０単元分の抽籤パターンは当選者が１人であるため、１単元分の抽籤パターンにエントリーした方が当選する可能性が高くなる。従って、顧客は、表示されているエントリー状況を参考に抽籤パターンを選択してエントリーすることができる。
【００３５】
配当・株主優待割当システム２においては、図４に示すように、顧客からの抽籤へのエントリーを受け付ける（ステップＳ１３）。例えば、顧客端末６ａにおいてエントリーボタン４０がクリックされ、証券会社のＷｅｂサイトにログインしている顧客の顧客識別番号及びパスワードがエントリーデータとして顧客端末６ａから送信される。従って、送信されたエントリーデータを受信することにより、顧客からの抽籤へのエントリーを受け付ける。
【００３６】
次に、エントリーデータをデータ記憶部１８に記憶する（ステップＳ１４）。即ち、ステップＳ１３においてエントリーを受け付けた顧客の顧客識別番号及びパスワードをエントリーデータとして、抽籤の対象になっている株式銘柄に対応させてデータ記憶部１８に記憶する。
【００３７】
次に、抽籤パターン毎にエントリーした顧客数の集計を行う（ステップＳ１５）。例えば、１単元分の抽籤パターンにエントリーした顧客数の集計と、１０単元分の抽籤パターンにエントリーした顧客数の集計とを行う。なお、それぞれの集計結果は、各抽籤パターンに対応させてデータ記憶部１８に記憶される。
【００３８】
次に、エントリー期間が終了したか否かを判断し（ステップＳ１６）、エントリー期間が終了していない場合には（ステップＳ１６）、エントリー用Ｗｅｂページを更新し（ステップＳ１７）、ステップＳ１３に戻り新たなエントリーを受け付ける。即ち、エントリー期間が終了していない場合には、ステップＳ１５において集計された顧客数、即ち、新たにエントリーが受け付けられた顧客の数を加えたその時点における抽籤パターン毎の最新のエントリー状況を示すべくエントリー用Ｗｅｂページを更新し、新たなエントリーを受け付ける。
【００３９】
一方、エントリー期間が終了している場合には（ステップＳ１６）、各抽籤パターンにエントリーした顧客毎に顧客の保有株式割合に基づく当選確率変数を算出する（ステップＳ１８）。例えば、０．３単元の株式を保有している顧客が、１単元分の株主優待を受ける顧客を決定する抽籤パターンにエントリーした場合、この顧客の当選確率が３０％となるように当選確率変数が算出される。また、この顧客が１０単元分の株主優待を受ける顧客を決定する抽籤パターンにエントリーした場合には、当選確率が３％となるように当選確率変数が算出される。なお、算出された当選確率変数は、各抽籤パターンにエントリーした顧客の顧客識別番号に対応させてデータ記憶部１８に記憶される。
【００４０】
次に、ステップＳ１８において算出された当選確率変数に基づいて、配当金又は株主優待の割り当てを受ける株主を決定するための抽籤を抽籤パターン毎に行う（ステップＳ１９）。なお、抽籤の形式は、当選確率変数に基づいて当選者が決定される形式であれば、例えば、ルーレット形式等どのような形式のものであってもよい。
【００４１】
次に、抽籤の当選者に対して当選した旨を通知した場合に、当選者から送信される当選確認通知を受け付ける当選確認期間を設定する（ステップＳ２０）。なお、設定された当選確認期間は、抽選が行われる株式銘柄に対応させてデータ記憶部１８に記憶される。
【００４２】
次に、抽籤の当選者に対して当選した旨の通知を行う（ステップＳ２１）。即ち、当選した旨を通知する当選通知Ｗｅｂページを作成し、Ｗｅｂサイトにログインした顧客の顧客識別番号が当選した顧客の顧客識別番号と一致した場合には、当選通知Ｗｅｂページのデータを自動的にネットワーク４を介してその顧客の顧客端末に送信することにより、当選者に対して当選した旨を通知する。
【００４３】
ここで、当選した顧客の顧客端末、例えば、顧客端末６ａにおいては、通信制御部３２を介して当選通知Ｗｅｂページのデータを取得し、取得した当選通知Ｗｅｂページのデータをデータ記憶部３４に記憶すると共に、当選通知Ｗｅｂページを表示部３６に表示する（図６参照）。そして、当選通知Ｗｅｂページにおいて表示されている当選確認ボタン４２をマウス等のポインティングデバイスを用いて選択してクリックすることにより、当選を確認した旨の当選確認通知を配当・株主優待割当システム２に対して送信する。
【００４４】
次に、当選した旨を通知した当選者から、当選したことを確認した旨の当選確認通知を受信する当選確認期間が経過しているか否かを判断する（ステップＳ２２）。当選確認期間が経過していない場合には、ステップＳ２０に戻り当選者に対する通知を行う。
【００４５】
一方、当選確認期間が経過している場合には（ステップＳ２２）、当選者が確定したか否かを判断する（ステップＳ２３）。即ち、当選者からの当選確認通知が通信制御部１２を介して受信されているか否かを判断する。そして、当選確認通知を受信しており、当選者が確定している場合には（ステップＳ２３）、そのまま処理を終了する。
【００４６】
当選確認通知を受信しておらず、当選者が確定していない場合には（ステップＳ２３）、当選者以外の顧客により再度、配当金又は株主優待の割り当てを受ける顧客を決定するための抽籤を再度行う。なお、配当金又は株主優待を受ける顧客を決定するための抽籤は、当選者が確定するまで行われる。
【００４７】
この発明の実施の形態に係る配当・株主優待割当システムによれば、配当金又は株主優待を割り当てる顧客を決定するための抽籤パターンを設定し、設定された抽籤パターンにエントリーした顧客毎に顧客の保有株式数に基づく当選確率変数を算出し、算出された当選確率変数に基づいて抽籤を行っている。従って、単元未満の株式を保有している顧客であっても、例えば、１単元の株式を保有している場合に得られる配当金の全額を抽籤により得ることができる。そのため、株式ミニ投資制度等を利用して単元未満の株式を保有している顧客であっても、株式を保有する利点を実感することができ、少ない資金を投資することにより株式の購入を希望する個人投資家に対して投資を適切に促すことができる。
【００４８】
また、この発明の実施の形態に係る配当・株主優待割当システムによれば、保有株式数に基づく当選確率変数により抽籤を行うことができる。即ち、保有株式数に対応させて当選確率を高くすることにより、より多くの投資を行っている顧客の当選確率を高めることができる。従って、公平性を担保した状態において顧客に対して配当金又は株主優待を割り当てることができ、顧客に対して株式を保有する利点を的確にアピールすることができる。
【００４９】
また、この発明の実施の形態に係る配当・株主優待割当システムによれば、他の顧客のエントリー状況を参考にして抽籤パターンを選択してエントリーを行うことができる。従って、より好適な抽籤パターンを選択すべく、エントリー用Ｗｅｂページが頻繁に閲覧されるため、例えば、投資に適した株式銘柄の情報をエントリー用Ｗｅｂページに掲載する等により、顧客の投資意欲を適切に刺激することができる。
【００５０】
また、この発明の実施の形態に係る配当・株主優待割当システムによれば、当選確認期間内に、当選者により当選したことの確認が行われなかった場合には、当選者以外の顧客により再度、抽籤が行われている。従って、少ない資金を投資することにより株式を購入した場合であっても、保有している株式数に比較して高い配当を得る機会を有していることをアピールすることにより、投資意欲を有している一方で実際の投資は行っていない潜在的な顧客の需要を顕在化させ、個人投資家の裾野を広げることができる。また、当選したか否かを確認すべくＷｅｂサイトにアクセスすることを顧客に促すことができるため、顧客に対して適切な投資情報を提供する機会を的確に得ることができる。
【００５１】
なお、上述の実施の形態に係る配当・株主優待割当システムにおいては、エントリー用Ｗｅｂページにおいて抽籤へのエントリーを受け付けているが、電話や書面によりエントリーを受け付けるようにしてもよい。例えば、抽籤が行われることを顧客に対して書面により通知し、顧客からの電話やファックス等によりエントリーを受け付けるようにしてもよい。
【００５２】
また、上述の実施の形態に係る配当・株主優待割当システムにおいては、他の顧客のエントリー状況を参照してエントリーする抽籤パターンを選択しているが、一度エントリーした後に、抽籤パターンを変更するようにしてもよい。例えば、１単元分の抽籤パターンにエントリーしたが、その後、１単元分の抽籤パターンに対するエントリーが増加し、逆に、１０単元分の抽籤パターンに対するエントリーが減少しているとする。この場合において、エントリーした抽籤パターンを１単元分の抽籤パターンから１０単元分の抽籤パターンに変更するようにしてもよい。この場合、顧客は、自らがエントリーした抽籤パターンへのエントリー状況を確認すべく、頻繁にＷｅｂサイトにアクセスするため、顧客に対して新たな投資対象の株式銘柄に関する情報等を適切に提供することができ、顧客の新たな投資意欲を喚起することができる。
【００５３】
また、上述の配当・株主優待割当システムにおいては、当選の確認を当選通知Ｗｅｂページにおいて行っているが、電話や書面等により当選の確認を行うようにしてもよい。例えば、当選者に対して当選した旨の書面を送付し、当選者からの電話又はファックスを受領することにより、当選者を確定するようにしてもよい。
【００５４】
また、上述の配当・株主優待割当システムにおいては、当選確認期間内に当選者による確認が行われなかった場合に、当選者以外の顧客を対象として再度抽籤を行っているが、再抽選に対するエントリーを行うようにしてもよい。即ち、当選者以外の顧客が証券会社のＷｅｂサイトにアクセスした場合には、再抽選に対するエントリーを行うか否かを確認するＷｅｂページが表示され、確認を行った顧客の中から抽籤により当選者を決定するようにしてもよい。
【００５５】
また、上述の配当・株主優待割当システムにおいては、当選者による当選確認が行われているが、当選者による当選の辞退を行うことができるようにしてもよい。即ち、図６に示す当選通知Ｗｅｂページにおいて、当選確認ボタンに加えて当選辞退ボタンを表示し、この当選辞退ボタンがマウス等のポインティングデバイスを用いて選択されクリックされた場合には、当選を辞退した旨の当選辞退通知が配当・株主優待割当システムに受信されるようにしてもよい。この場合には、当選者による当選の辞退に基づいて、例えば、当選者以外の顧客を対象とした再度の抽籤を迅速に行うことができる。なお、再抽籤に対するエントリーを行い、エントリーを行った顧客を対象に抽籤を行うようにしてもよい。
【００５６】
【発明の効果】
この発明によれば、単元未満の株式を保有する顧客の保有株式数に基づく当選確率変数により抽籤を行い、当選した顧客に対して配当金又は株主優待の割り当てを行っている。即ち、抽籤を行うことにより公平性を担保した状態で、単元未満の株式を保有している顧客に対する配当金又は株主優待を割り当てている。従って、少ない資金で株式を保有することを希望している個人投資家の投資意欲を適切に喚起し、個人投資家の裾野を拡大することができる。また、単元未満の株式を保有している場合であっても、１単元以上の株式を保有している場合と同等の配当金又は株主優待を得ることができるため、株式投資に対する関心を抱いている顧客の投資意欲を適切に刺激し、個人投資家の裾野を着実に広げることができる。
【図面の簡単な説明】
【図１】この発明の実施の形態に係る配当・株主優待割当システムを含むシステム全体のブロック構成図である。
【図２】この発明の実施の形態に係る配当・株主優待割当システムのブロック構成図である。
【図３】この発明の実施の形態に係る顧客端末のブロック構成図である。
【図４】この発明の実施の形態に係る配当・株主優待割当システムによる割当処理を説明するためのフローチャートである。
【図５】この発明の実施の形態に係るエントリー用Ｗｅｂページの一例を示す図である。
【図６】この発明の実施の形態に係る当選通知Ｗｅｂページの一例を示す図である。
【符号の説明】
２…配当・株主優待割当システム、４…ネットワーク、６ａ、６ｂ、６ｃ…顧客端末、１０…データ制御部、１２…通信制御部、１４…顧客情報記憶部、１６…株式情報記憶部、１８…データ記憶部、２０…Ｗｅｂページデータ記憶部、３０…データ制御部、３２…通信制御部、３４…データ制御部、３６…表示部、４０…エントリーボタン、４２…当選確認ボタン。
【図１】
2005018543.tif 000003
【図２】
2005018543.tif 000004
【図３】
2005018543.tif 000005
【図４】
2005018543.tif 000006
【図５】
2005018543.tif 000007
【図６】
2005018543.tif 000008